(57)【要約】【課題】従来の表示装置では、適視範囲を拡大することが困難である。【解決手段】互いに対向する一対の基板１５及び１７と、一対の基板１５及び１７間に、一対の基板１５及び１７によって保持された状態で介在し、第１の画像を形成する第１の画素及び第２の画像を形成する第２の画素を少なくとも含む複数の画素の前記画素ごとに駆動される液晶１９と、基板１５の液晶１９側とは反対側の面に対向して設けられ、基板１５側から前記複数の画素に向けて光を射出する照明装置５と、基板１５と液晶１９との間で前記複数の画素に平面視で重なる領域に設けられ、前記光のうちで、前記第１の画素から基板１７を経て第１の範囲に及ぶ光を通すとともに、前記第２の画素から基板１７を経て、前記第１の範囲とは異なる範囲を含む第２の範囲に及ぶ光を通す開口部が設けられた遮光部２１と、を有することを特徴とする電気光学装置。【選択図】図２
2009069567.tif 000002
【特許請求の範囲】
【請求項１】
互いに対向する一対の基板と、
前記一対の基板間に、前記一対の基板によって保持された状態で介在し、第１の画像を形成する第１の画素及び第２の画像を形成する第２の画素を少なくとも含む複数の画素の前記画素ごとに駆動される液晶と、
前記一対の基板のうちの一方の前記基板の前記液晶側とは反対側の面に対向して設けられ、前記一方の基板側から前記複数の画素に向けて光を射出する照明装置と、
前記一方の基板と前記液晶との間で前記複数の画素に平面視で重なる領域に設けられ、前記光のうちで、前記第１の画素から他方の前記基板を経て第１の範囲に及ぶ光を通すとともに、前記第２の画素から前記他方の基板を経て、前記第１の範囲とは異なる範囲を含む第２の範囲に及ぶ光を通す開口部が設けられた遮光素子と、を有することを特徴とする電気光学装置。
【請求項２】
前記液晶より前記他方の基板側に設けられ、前記第１の範囲に及ぶ光のうち前記第１の範囲内で前記第１の範囲よりも狭い第３の範囲に及ぶ光を通すとともに、前記第２の範囲に及ぶ光のうち前記第２の範囲内で前記第２の範囲よりも狭い第４の範囲に及ぶ光を通す開口部が設けられた第２の遮光素子を有することを特徴とする請求項１に記載の電気光学装置。
【請求項３】
前記第２の遮光素子が、前記他方の基板と前記液晶との間に設けられていることを特徴とする請求項２に記載の電気光学装置。
【請求項４】
前記一方の基板と前記遮光素子との間に、平面視で前記遮光素子に重なる反射膜が設けられていることを特徴とする請求項１乃至３のいずれか一項に記載の電気光学装置。
【請求項５】
前記遮光素子と前記液晶との間に樹脂層が介在していることを特徴とする請求項１乃至４のいずれか一項に記載の電気光学装置。
【請求項６】
請求項１乃至５のいずれか一項に記載の電気光学装置を表示部として備えたことを特徴とする電子機器。
【発明の詳細な説明】
【技術分野】
【０００１】
本発明は、電気光学装置及び電子機器に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。このような表示装置としては、開口部と遮光部とを有するバリアを介して複数の視点のそれぞれに、互いに異なる画像を表示することができるものがある（例えば、特許文献１参照）。
【０００３】
【特許文献１】特許第３０９６６１３号公報（第２頁、図２１）
【発明の開示】
【発明が解決しようとする課題】
【０００４】
ここで、画像を形成する表示パネルと上記のバリアとを有する表示装置で、２つの方向に指向性表示を行う仕組みについて、断面図を用いて説明する。表示パネル６００は、図２４（ａ）に示すように、第１の画像を表示する第１の画素６０１と、第２の画像を表示する第２の画素６０３とを有している。表示パネル６００に重ね合わされるバリア６０５には、第１の画素６０１と第２の画素６０３とに重なる領域に開口部６０７が設けられている。隣り合う開口部６０７同士の間には、遮光部６０９が位置している。第１の画素６０１及び第２の画素６０３には、照明装置６１０からの光がバリア６０５の開口部６０７を介して入射される。
【０００５】
開口部６０７を介して第１の画素６０１に入射された光は、第１の範囲６１１に及ぶ。また、開口部６０７を介して第２の画素６０３に入射された光は、第２の範囲６１３に及ぶ。つまり、第１の範囲６１１内にある視点からは第１の画像が視認され、第２の範囲６１３内にある視点からは第２の画像が視認され得る。なお、第１の範囲６１１及び第２の範囲６１３は、互いに重なる範囲６１５を有している。範囲６１５内にある視点からは、第１の画像と第２の画像とが重畳した状態で視認される。
【０００６】
第１の範囲６１１から範囲６１５を除いた範囲６１９ａ内にある視点からは、第１の画像だけが視認され得る。同様に、第２の範囲６１３から範囲６１５を除いた範囲６１９ｂ内にある視点からは、第２の画像だけが視認され得る。範囲６１９ａ及び範囲６１９ｂは、それぞれ、適視範囲６１９ａ及び適視範囲６１９ｂと呼ばれる。
ここで、適視範囲６１９ａ及び適視範囲６１９ｂは、図２４（ｂ）に示すように、表示パネル６００とバリア６０５との間の距離ｔを短縮することによって拡大され得る。
【０００７】
ところで、バリアが重ね合わされる表示パネルは、多くの場合、一対のガラス基板間に表示素子が介在した構成を有している。このような構成で適視範囲を拡大するには、バリアが重ね合わされる側のガラス基板を薄くしなければならない。しかしながら、ガラス基板を薄くすることは、基板強度の低下に起因して、歩留まりの低下、製造時間の長期化、品質の低下等の多くの弊害を招来してしまうことにつながる。
つまり、従来の表示装置では、適視範囲を拡大することが困難であるという未解決の課題がある。
【課題を解決するための手段】
【０００８】
本発明は、上述の課題の少なくとも一部を解決するためになされたものであり、以下の形態又は適用例として実現され得る。
【０００９】
［適用例１］互いに対向する一対の基板と、前記一対の基板間に、前記一対の基板によって保持された状態で介在し、第１の画像を形成する第１の画素及び第２の画像を形成する第２の画素を少なくとも含む複数の画素の前記画素ごとに駆動される液晶と、前記一対の基板のうちの一方の前記基板の前記液晶側とは反対側の面に対向して設けられ、前記一方の基板側から前記複数の画素に向けて光を射出する照明装置と、前記一方の基板と前記液晶との間で前記複数の画素に平面視で重なる領域に設けられ、前記光のうちで、前記第１の画素から他方の前記基板を経て第１の範囲に及ぶ光を通すとともに、前記第２の画素から前記他方の基板を経て、前記第１の範囲とは異なる範囲を含む第２の範囲に及ぶ光を通す開口部が設けられた遮光素子と、を有することを特徴とする電気光学装置。
【００１０】
適用例１の電気光学装置は、一対の基板と、一対の基板間に介在する液晶と、照明装置と、遮光素子とを有している。液晶は、一対の基板によって保持されており、複数の画素の画素ごとに駆動される。複数の画素には、少なくとも、第１の画素と第２の画素とが含まれる。照明装置は、一方の基板の液晶側とは反対側の面に対向して設けられ、一方の基板側から複数の画素に向けて光を射出する。遮光素子は、一方の基板と液晶との間で複数の画素に平面視で重なる領域に設けられている。遮光素子には、照明装置から複数の画素に向けて射出される光のうちで、第１の画素から他方の基板を経て第１の範囲に及ぶ光を通すとともに、第２の画素から他方の基板を経て第２の範囲に及ぶ光を通す開口部が設けられている。これにより、第１の範囲からは、第１の画素によって形成される第１の画像が視認され、第２の範囲からは、第２の画素によって形成される第２の画像が視認され得る。つまり、適用例１の電気光学装置では、少なくとも２つの方向に指向性表示を行うことができる。
【００１１】
ここで、遮光素子は、一方の基板と液晶との間に設けられている。つまり、遮光素子は、一対の基板間に介在している。このため、遮光素子が一対の基板の外側に配置される場合に比較して、複数の画素と遮光素子との間の距離を短縮することができる。従って、適用例１の電気光学装置では、指向性表示を行う各方向における適視範囲を拡大することができる。
【００１２】
［適用例２］上記の電気光学装置であって、前記液晶より前記他方の基板側に設けられ、前記第１の範囲に及ぶ光のうち前記第１の範囲内で前記第１の範囲よりも狭い第３の範囲に及ぶ光を通すとともに、前記第２の範囲に及ぶ光のうち前記第２の範囲内で前記第２の範囲よりも狭い第４の範囲に及ぶ光を通す開口部が設けられた第２の遮光素子を有することを特徴とする電気光学装置。
【００１３】
適用例２では、液晶よりも他方の基板側に第２の遮光素子が設けられている。第２の遮光素子には、第１の範囲に及ぶ光のうち第１の範囲内で第１の範囲よりも狭い第３の範囲に及ぶ光を通すとともに、第２の範囲に及ぶ光のうち第２の範囲内で第２の範囲よりも狭い第４の範囲に及ぶ光を通す開口部が設けられている。適用例２では、このような開口部を有する第２の遮光素子が、液晶よりも他方の基板側に設けられているので、第１の画像と第２の画像とが重畳する範囲を低減することができる。
【００１４】
［適用例３］上記の電気光学装置であって、前記第２の遮光素子が、前記他方の基板と前記液晶との間に設けられていることを特徴とする電気光学装置。
【００１５】
適用例３では、第２の遮光素子が、他方の基板と液晶との間に設けられている。つまり、第２の遮光素子は、一対の基板間に介在している。このため、第２の遮光素子が一対の基板の外側に配置される場合に比較して、複数の画素と第２の遮光素子との間の距離を短縮することができる。従って、適用例３では、電気光学装置の薄型化が図られる。
【００１６】
［適用例４］上記の電気光学装置であって、前記一方の基板と前記遮光素子との間に、平面視で前記遮光素子に重なる反射膜が設けられていることを特徴とする電気光学装置。
【００１７】
適用例４では、一方の基板と遮光素子との間に、平面視で遮光素子に重なる反射膜が設けられている。これにより、照明装置から一方の基板を介して複数の画素に向かう光のうちで遮光素子に遮られる光を、一方の基板側に反射させることができる。一方の基板側に反射された反射光の少なくとも一部は、一方の基板の第１面や、照明装置などによって液晶側に再反射される。従って、適用例４では、液晶側に再反射された光を画像の表示に活用することができ、照明装置からの光の利用効率を向上させることができる。
【００１８】
［適用例５］上記の電気光学装置であって、前記遮光素子と前記液晶との間に樹脂層が介在していることを特徴とする電気光学装置。
【００１９】
適用例５では、遮光素子と液晶との間に樹脂層が介在している。樹脂層では、例えばガラス基板などに比較して、厚みが容易に調整され得る。従って、適用例５の電気光学装置では、樹脂層の厚みを調整することで、適視範囲を調整しやすくすることができる。
【００２０】
［適用例６］上記の電気光学装置を表示部として備えたことを特徴とする電子機器。
【００２１】
適用例６の電子機器は、表示部としての電気光学装置が、一対の基板と、一対の基板間に介在する液晶と、照明装置と、遮光素子とを有している。液晶は、一対の基板によって保持されており、複数の画素の画素ごとに駆動される。複数の画素には、少なくとも、第１の画素と第２の画素とが含まれる。照明装置は、一方の基板の液晶側とは反対側の第１面に対向して設けられ、第１面側から複数の画素に向けて光を射出する。遮光素子は、一方の基板と液晶との間で複数の画素に平面視で重なる領域に設けられている。遮光素子には、照明装置から複数の画素に向けて射出される光のうちで、第１の画素から他方の基板を経て第１の範囲に及ぶ光を通すとともに、第２の画素から他方の基板を経て第２の範囲に及ぶ光を通す開口部が設けられている。これにより、第１の範囲からは、第１の画素によって形成される第１の画像が視認され、第２の範囲からは、第２の画素によって形成される第２の画像が視認され得る。つまり、この電気光学装置では、少なくとも２つの方向に指向性表示を行うことができる。
ここで、遮光素子は、一方の基板と液晶との間に設けられている。つまり、遮光素子は、一対の基板間に介在している。このため、遮光素子が一対の基板の外側に配置される場合に比較して、複数の画素と遮光素子との間の距離を短縮することができる。従って、この電気光学装置では、指向性表示を行う各方向における適視範囲を拡大することができる。そして、適用例６の電子機器は、適視範囲を拡大することができる電気光学装置を表示部として備えているので、適視範囲の拡大が図られる。
【発明を実施するための最良の形態】
【００２２】
実施形態について、電気光学装置の１つである表示装置を例に、図面を参照しながら説明する。
第１実施形態における表示装置１は、図１に示すように、表示パネル３と、照明装置５とを有している。
【００２３】
ここで、表示パネル３には、複数の画素７が設定されている。複数の画素７は、表示領域８内で、図中のＸ方向及びＹ方向に配列しており、Ｘ方向を行方向とし、Ｙ方向を列方向とするマトリクスＭを構成している。表示装置１は、照明装置５から表示パネル３に入射された光を、表示パネル３に設定されている複数の画素７から選択的に表示面９を介して表示パネル３の外に射出することで、表示面９に画像を表示することができる。なお、表示領域８とは、画像が表示され得る領域である。図１では、構成をわかりやすく示すため、画素７が誇張され、且つ画素７の個数が減じられている。
【００２４】
表示パネル３は、図１中のＡ−Ａ線における断面図である図２に示すように、液晶パネル１１と、偏光板１３ａ及び１３ｂとを有している。
液晶パネル１１は、遮光素子基板１５と、駆動素子基板１７と、液晶１９とを有している。
遮光素子基板１５には、表示面９側すなわち液晶１９側に、複数の遮光部２１などが設けられている。なお、図２では、構成をわかりやすく示すため、各構成が誇張され、且つ遮光部２１の個数が減じられている。
【００２５】
駆動素子基板１７は、遮光素子基板１５よりも表示面９側で遮光素子基板１５に対向し、且つ遮光素子基板１５との間に隙間を有した状態で設けられている。駆動素子基板１７には、表示パネル３における表示面９の裏面に相当する面である底面２３側すなわち液晶１９側に、複数の画素７のそれぞれに対応して、後述するスイッチング素子などが設けられている。
【００２６】
液晶１９は、遮光素子基板１５及び駆動素子基板１７の間に介在しており、表示パネル３の周縁よりも内側で表示領域８を囲むシール材２５によって、遮光素子基板１５及び駆動素子基板１７の間に封止されている。なお、本実施形態では、液晶１９として、ＴＮ（Twisted Nematic）型が採用されている。
【００２７】
偏光板１３ａは、遮光素子基板１５よりも底面２３側に設けられている。偏光板１３ｂは、駆動素子基板１７よりも表示面９側に設けられている。本実施形態では、偏光板１３ａ及び１３ｂは、偏光板１３ａにおける光の透過軸の方向と、偏光板１３ｂにおける光の透過軸の方向とが、互いに直交する方向に設定されている。偏光板１３ａ及び１３ｂは、それぞれ、透過軸の方向に偏光軸を有する光を透過させることができる。
【００２８】
照明装置５は、表示パネル３の底面２３側に設けられており、導光板３１と、光源３３とを有している。導光板３１は、図２で見て表示パネル３の下側に設けられており、表示パネル３の底面２３に対向する光射出面３５ｂを有している。
光源３３は、例えば、ＬＥＤ（Light Emitting Diode）や冷陰極管などが採用され、図２で見て導光板３１の側面３５ａの左方に設けられている。
【００２９】
光源３３からの光は、導光板３１の側面３５ａに入射される。導光板３１に入射された光は、導光板３１の中で反射を繰り返しながら光射出面３５ｂから射出される。光射出面３５ｂから射出された光は、表示パネル３の底面２３から、偏光板１３ａを介して表示パネル３に入射される。なお、導光板３１には、必要に応じて、光射出面３５ｂに拡散板が設けられ、底面３５ｃに反射板が設けられる。
【００３０】
表示パネル３に設定されている複数の画素７は、それぞれ、表示面９から射出する光の色が、図３に示すように、赤系（Ｒ）、緑系（Ｇ）及び青系（Ｂ）のうちの１つに設定されている。つまり、マトリクスＭを構成する複数の画素７は、Ｒの光を射出する画素７ｒと、Ｇの光を射出する画素７ｇと、Ｂの光を射出する画素７ｂとを含んでいる。
【００３１】
ここで、Ｒの色は、純粋な赤の色相に限定されず、橙等を含む。Ｇの色は、純粋な緑の色相に限定されず、青緑や黄緑を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００３２】
マトリクスＭでは、Ｙ方向に沿って並ぶ複数の画素７が、１つの画素列４１を構成している。１つの画素列４１内の各画素７は、光の色がＲ、Ｇ及びＢのうちの１つに設定されている。つまり、マトリクスＭは、複数の画素７ｒがＹ方向に配列した画素列４１ｒと、複数の画素７ｇがＹ方向に配列した画素列４１ｇと、複数の画素７ｂがＹ方向に配列した画素列４１ｂとを有している。そして、マトリクスＭでは、画素列４１ｒ、画素列４１ｇ及び画素列４１ｂが、この順でＸ方向に沿って反復して並んでいる。
【００３３】
また、表示装置１では、マトリクスＭを構成する複数の画素７は、図４に示すように、複数の第１の画素７1と、複数の第２の画素７2とにわけられている。表示装置１は、照明装置５から表示パネル３に入射された光を、複数の第１の画素７1から選択的に表示面９を介して表示パネル３の外に射出することで、表示面９に第１の画像を表示することができる。また、表示装置１は、照明装置５から表示パネル３に入射された光を、複数の第２の画素７2から選択的に表示面９を介して表示パネル３の外に射出することで、表示面９に第２の画像を表示することができる。
【００３４】
なお、第１の画像と第２の画像とは、互いに異なる画像であることと、互いに同じ画像であることとが問われない。また、以下においては、画素７という表記と、画素７ｒ、７ｇ及び７ｂという表記と、第１の画素７1及び第２の画素７2という表記とが、適宜、使いわけられる。また、第１の画素７1及び第２の画素７2のそれぞれに対してＲ、Ｇ及びＢが識別される場合、第１の画素７ｒ1、７ｇ1及び７ｂ1、並びに、第２の画素７ｒ2、７ｇ2及び７ｂ2という表記が用いられる。
【００３５】
表示装置１では、第１の画素７1と第２の画素７2とが、Ｘ方向に交互に並んでいる。１つの画素列４１は、複数の第１の画素７1又は複数の第２の画素７2によって構成されている。つまり、マトリクスＭは、複数の第１の画素７1がＹ方向に沿って配列した画素列４１1と、複数の第２の画素７2がＹ方向に沿って配列した画素列４１2とを有している。なお、以下においては、画素列４１という表記と、画素列４１ｒ、画素列４１ｇ及び画素列４１ｂという表記と、画素列４１1及び画素列４１2という表記とが、適宜、使いわけられる。
【００３６】
また、表示装置１では、マトリクスＭを構成する複数の画素７は、Ｘ方向に隣り合う第１の画素７1及び第２の画素７2の２つの画素７ごとに、これらの２つの画素７を１組とする複数組の画素群４３にわけられている。各画素群４３での第１の画素７1及び第２の画素７2の並び順は、複数組の画素群４３間で統一している。本実施形態では、第１の画素７1と第２の画素７2とが、図４で見て、Ｘ方向に左側から右側に向かってこの順で並んでいる。なお、第１の画素７1及び第２の画素７2の並び順は、複数組の画素群４３間で統一していれば、いずれが左側でも右側でもよい。
マトリクスＭにおいて、複数組の画素群４３は、図５に示すように、Ｘ方向及びＹ方向のそれぞれの方向に沿って並んでいる。つまり、複数組の画素群４３は、マトリクス状に配列している。
【００３７】
ここで、液晶パネル１１の遮光素子基板１５及び駆動素子基板１７のそれぞれの構成について、詳細を説明する。
遮光素子基板１５は、図４中のＣ−Ｃ線における断面図である図６に示すように、第１基板５１を有している。第１基板５１は、例えばガラスなどの光透過性を有する材料で構成されており、表示面９側に向けられた第１面５３ａと、底面２３側に向けられた第２面５３ｂとを有している。
【００３８】
第１基板５１の第１面５３ａには、複数の遮光部２１が設けられている。各遮光部２１は、第１面５３ａに設けられた反射膜５５の表示面９側に遮光膜５７を設けた構成を有している。反射膜５５は、例えば、金、銀、アルミニウムなどの光反射性が高い材料で構成され得る。遮光膜５７は、例えば、カーボンブラックなどを含有する樹脂や、クロムなどの光吸収性が高い材料で構成され得る。
【００３９】
遮光部２１の表示面９側には、樹脂層５９が設けられている。樹脂層５９は、光透過性を有する樹脂で構成されており、シート状の樹脂を貼り付けたり、液状の樹脂をスピンコート法などで膜状に配置してから固化させたりすることで形成され得る。
樹脂層５９の表示面９側には、各画素７を区画する光吸収層６１が領域６３にわたって設けられている。表示装置１では、各画素７は、光吸収層６１によって囲まれた領域であると定義され得る。光吸収層６１は、光吸収性を有する材料で構成され、樹脂層５９の表示面９側に、平面視で格子状に設けられている。
【００４０】
樹脂層５９の表示面９側には、光吸収層６１によって囲まれた各領域、すなわち各画素７の領域を表示面９側から覆うカラーフィルタ６５が設けられている。
ここで、カラーフィルタ６５は、入射された光のうち所定の波長域の光を透過させることができる。カラーフィルタ６５は、画素７ｒ、画素７ｇ及び画素７ｂごとに異なる色に着色された樹脂などで構成されている。画素７ｒに対応するカラーフィルタ６５は、Ｒの光を透過させることができる。画素７ｇに対応するカラーフィルタ６５はＧの光を透過させ、画素７ｂに対応するカラーフィルタ６５はＢの光を透過させることができる。
【００４１】
光吸収層６１及びカラーフィルタ６５の表示面９側には、オーバーコート層６７が設けられている。オーバーコート層６７は、光透過性を有する樹脂などで構成されており、光吸収層６１及びカラーフィルタ６５を表示面９側から覆っている。
オーバーコート層６７の表示面９側には、対向電極７１が設けられている。対向電極７１は、例えばＩＴＯ（Indium Tin Oxide）などの光透過性を有する材料で構成されている。なお、対向電極７１は、図示しない共通線につながっている。
対向電極７１の表示面９側には、配向膜７３が設けられている。配向膜７３は、例えばポリイミドなどの光透過性を有する材料で構成されており、対向電極７１を表示面９側から覆っている。なお、配向膜７３には、配向処理が施されている。
【００４２】
駆動素子基板１７は、第２基板７５を有している。第２基板７５は、例えばガラスなどの光透過性を有する材料で構成されており、表示面９側に向けられた外向面７６ａと、底面２３側に向けられた素子面７６ｂとを有している。
第２基板７５の素子面７６ｂには、ゲート絶縁層７７が設けられている。ゲート絶縁層７７の底面２３側には、絶縁層７９が設けられている。絶縁層７９の底面２３側には、配向膜８１が設けられている。
【００４３】
また、駆動素子基板１７には、各画素７に対応して、スイッチング素子の１つであるＴＦＴ（Thin Film Transistor）素子８３と、画素電極８５とが、第２基板７５の素子面７６ｂ側に設けられている。
ＴＦＴ素子８３は、ゲート電極９１と、半導体層９３と、ソース電極９５と、ドレイン電極９７とを有している。
【００４４】
ゲート電極９１は、第２基板７５の素子面７６ｂに設けられており、ゲート絶縁層７７によって底面２３側から覆われている。なお、ゲート絶縁層７７の材料としては、例えば、ＳｉＯやＳｉＮなどの光透過性を有する材料が採用され得る。
半導体層９３は、例えばアモルファスシリコンで構成されており、ゲート絶縁層７７を挟んでゲート電極９１に対向する位置に設けられている。半導体層９３には、図示しないソース領域と、ドレイン領域とが設けられている。
【００４５】
ソース電極９５は、ゲート絶縁層７７の底面２３側に設けられており、一部が半導体層９３のソース領域に重なっている。
ドレイン電極９７は、ゲート絶縁層７７の底面２３側に設けられており、一部が半導体層９３のドレイン領域に重なっている。
【００４６】
表示装置１では、上記の構成を有するＴＦＴ素子８３は、図６で見て左側の領域６３内に設けられており、ドレイン電極９７が領域６３内から画素７の領域内に延長されている。Ｘ方向に隣り合う画素７間において、ゲート電極９１同士は、図示しないゲート線によって接続されている。また、Ｙ方向に隣り合う画素７間において、ソース電極９５同士は、図示しないデータ線によって接続されている。
【００４７】
ＴＦＴ素子８３は、絶縁層７９によって底面２３側から覆われている。なお、絶縁層７９の材料としては、例えば、ＳｉＯ、ＳｉＮ、アクリル系の樹脂などの光透過性を有する材料が採用され得る。
画素電極８５は、例えばＩＴＯなどの光透過性を有する材料で構成され、絶縁層７９の底面２３側に設けられている。画素電極８５は、絶縁層７９に設けられたコンタクトホール９９を介してドレイン電極９７につながっている。
配向膜８１は、例えばポリイミドなどの光透過性を有する材料で構成されており、絶縁層７９及び画素電極８５を底面２３側から覆っている。なお、配向膜８１には、配向処理が施されている。
【００４８】
遮光素子基板１５及び駆動素子基板１７の間に介在する液晶１９は、配向膜７３と配向膜８１との間に介在している。表示装置１では、図２に示すシール材２５は、図６に示す第１基板５１の第１面５３ａと、第２基板７５の素子面７６ｂとによって挟持されている。つまり、表示装置１では、液晶１９は、第１基板５１及び第２基板７５によって保持されている。なお、シール材２５は、配向膜７３及び配向膜８１の間に設けられていてもよい。この場合、液晶１９は、遮光素子基板１５及び駆動素子基板１７に保持されているとみなされ得る。
【００４９】
遮光部２１を構成する反射膜５５及び遮光膜５７は、図６中のＤ−Ｄ線における断面図である図７に示すように、Ｘ方向に隣り合う画素群４３同士の間に設けられている。
Ｘ方向に隣り合う遮光部２１同士間には、例えばアクリル樹脂などの光透過性を有する材料で構成される光透過層１０１が設けられている。つまり、光透過層１０１は、各画素群４３に対応して設けられており、画素群４３を構成する第１の画素７1及び第２の画素７2の間に設けられている。
【００５０】
換言すれば、反射膜５５及び遮光膜５７は、画素群４３を構成する第１の画素７1及び第２の画素７2の間に開口部１０３が設けられた構成を有していると表現され得る。そして、光透過層１０１は、開口部１０３内に設けられていると表現され得る。
【００５１】
また、各遮光部２１は、遮光部２１と画素群４３との平面図である図８に示すように、Ｙ方向に沿って延びている。つまり、１つの遮光部２１は、Ｙ方向に沿って並ぶ画素群４３の列間に対応している。なお、図８では、構成をわかりやすく示すため、各遮光部２１にハッチングが施されている。また、各開口部１０３及び各光透過層１０１もＹ方向に沿って延びている。１つの光透過層１０１及び開口部１０３は、Ｙ方向に沿って１列に並ぶ複数組の画素群４３に対応している。
【００５２】
上記の構成を有する表示装置１では、照明装置５から表示パネル３に光を照射した状態で液晶１９の配向状態を変化させることにより、表示が制御される。液晶１９の配向状態は、ＴＦＴ素子８３のＯＦＦ状態及びＯＮ状態を切り替えることによって変化し得る。
【００５３】
図９（ａ）は、ＴＦＴ素子８３がＯＦＦ状態のときの偏光状態を示す図であり、図９（ｂ）は、ＴＦＴ素子８３がＯＮ状態のときの偏光状態を示す図である。
表示装置１では、偏光板１３ａの透過軸の方向１０５は、図９（ａ）及び図９（ｂ）に示すように、偏光板１３ｂの透過軸の方向１０７に直交している。配向膜７３の配向方向１０９は、透過軸の方向１０７に直交している。配向膜８１の配向方向１１１は、透過軸の方向１０７に沿っている。
なお、図９（ａ）及び図９（ｂ）において、Ｘ’方向及びＹ’方向は、Ｘ’方向が平面視で偏光板１３ｂの透過軸の方向１０７に沿った方向を示し、Ｙ’方向がＸＹ平面内でＸ’方向に直行する方向を示している。Ｘ’方向及びＹ’方向は、ＸＹ平面内で互いに直交する任意の２方向である。
【００５４】
照明装置５から偏光板１３ａに入射された入射光は、偏光板１３ａの透過軸の方向１０５すなわちＹ’方向に沿った偏光軸を有する直線偏光１１３として液晶１９に入射される。
液晶１９に入射された直線偏光１１３は、ＴＦＴ素子８３がＯＦＦ状態のときに、図９（ａ）に示すように、液晶１９の旋光性によってＸ’方向に沿った偏光軸を有する直線偏光１１５として偏光板１３ｂに向けて射出される。偏光板１３ｂに向けて射出された直線偏光１１５は、偏光軸の方向が偏光板１３ｂの透過軸の方向１０７に沿っているため、偏光板１３ｂを透過する。
【００５５】
他方で、ＴＦＴ素子８３がＯＮ状態のときに、直線偏光１１３は、図９（ｂ）に示すように、偏光状態が維持されたまま直線偏光１１３として偏光板１３ｂに向けて射出される。偏光板１３ｂに向けて射出された直線偏光１１３は、偏光軸の方向が偏光板１３ｂの透過軸の方向１０７に対して直交しているため、偏光板１３ｂによって吸収される。
【００５６】
表示装置１では、ＴＦＴ素子８３がＯＦＦ状態のときに表示面９から光が射出され、ＴＦＴ素子８３がＯＮ状態のときに表示面９からの光の射出が遮断される所謂ノーマリホワイトの表示モードが採用されている。しかしながら、表示モードは、ノーマリホワイトに限定されず、ノーマリブラックも採用され得る。偏光板１３ａの透過軸の方向１０５をＸ’方向に合わせ、偏光板１３ｂの透過軸の方向１０７をＹ’方向に合わせれば、ノーマリブラックが達成され得る。
【００５７】
ここで、表示装置１では、前述したように、Ｘ方向に隣り合う画素群４３同士間に対応する遮光部２１が設けられている。また、Ｘ方向に隣り合う遮光部２１同士間には、光透過層１０１が設けられている。照明装置５からの光は、複数組の画素群４３並びに複数の遮光部２１及び光透過層１０１を模式的に示す断面図である図１０に示すように、光透過層１０１に対応する画素群４３を構成する第１の画素７1及び第２の画素７2のそれぞれを介して表示面９から射出される。
【００５８】
このとき、第１の画素７1及び第２の画素７2のそれぞれから射出された光１１７ａ及び１１７ｂは、光１１７ａが第１の範囲１２１に及び、光１１７ｂが第２の範囲１２３に及ぶ。なお、図１０に示す断面は、図８中のＥ−Ｅ線における断面に相当している。
【００５９】
第１の範囲１２１からは、第１の画素７1を介して光透過層１０１からの光１１７ａが視認され得る。第２の範囲１２３からは、第２の画素７2を介して光透過層１０１からの光１１７ｂが視認され得る。第１の範囲１２１内に視点があれば、複数の第１の画素７1からの光１１７ａによって形成される第１の画像が視認され得る。第２の範囲１２３内に視点があれば、複数の第２の画素７2からの光１１７ｂによって形成される第２の画像が視認され得る。つまり、表示装置１では、第１の画像を第１の範囲１２１に表示し、第２の画像を、第１の範囲１２１とは異なる第２の範囲１２３に表示する所謂指向性表示を行うことができる。
【００６０】
表示装置１では、図１０に示す第１の範囲１２１及び第２の範囲１２３に、互いに重複する範囲１２５がある。この範囲１２５からは、第１の画像と第２の画像とが重畳した状態で視認される。第１の範囲１２１から範囲１２５を除いた範囲１２７ａ（以下、適視範囲１２７ａと呼ぶ）からは、第１の画像だけが視認され得る。また、第２の範囲１２３から範囲１２５を除いた範囲１２７ｂ（以下、適視範囲１２７ｂと呼ぶ）からは、第２の画像だけが視認され得る。
【００６１】
表示装置１は、複数の第１の画素７1から射出された光１１７ａが第１の範囲１２１の両端のそれぞれにおいて交差し、複数の第２の画素７2から射出された光１１７ｂが第２の範囲１２３の両端のそれぞれにおいて交差するように構成されている。これは、Ｘ方向に隣り合う光透過層１０１同士間の間隔Ｐａを、Ｘ方向に隣り合う画素群４３同士間の間隔Ｐｂよりも長く設定することによって実現され得る。
これにより、適視範囲１２７ａ内にある任意の視点から視認される光の量を、複数の第１の画素７1間で同等にすることができる。同様に、適視範囲１２７ｂ内にある任意の視点から視認される光の量を、複数の第２の画素７2間で同等にすることができる。
【００６２】
表示装置１において、遮光膜５７が遮光素子に対応している。
表示装置１では、照明装置５と複数の画素７との間に複数の遮光部２１が設けられている。複数の遮光部２１は、反射膜５５及び遮光膜５７に開口部１０３を設けることによって、Ｘ方向に隣り合う遮光部２１同士間に隙間があけられている。各開口部１０３は、画素群４３を構成する第１の画素７1及び第２の画素７2の間に設けられている。このため、表示装置１では、第１の画像を第１の範囲１２１に表示し、第２の画像を第２の範囲１２３に表示する指向性表示を行うことができる。
【００６３】
また、表示装置１では、複数の遮光部２１が、液晶１９を保持する第１基板５１と第２基板７５との間に設けられている。このため、複数の遮光部２１が第１基板５１及び第２基板７５の外側に設けられる場合に比較して、複数の画素７と複数の遮光部２１との間の距離を短縮することができる。従って、表示装置１では、適視範囲１２７ａや適視範囲１２７ｂを拡大することができる。
【００６４】
また、表示装置１では、第１基板５１と各遮光膜５７との間に反射膜５５が設けられている。このため、照明装置５から第１基板５１を経て各遮光膜５７に向かう光が底面２３側に反射される。底面２３側に反射された反射光の少なくとも一部は、第１基板５１の第２面５３ｂや、導光板３１の光射出面３５ｂなどによって表示面９側に再反射される。これにより、表示面９側に再反射された反射光を画像の表示に活用することができ、照明装置５からの光の利用効率を向上させることができる。
【００６５】
また、表示装置１では、複数の遮光部２１と液晶１９との間に樹脂層５９が設けられている。樹脂層５９では、ガラスなどに比較して厚みを容易に調整することができる。従って、表示装置１では、樹脂層５９の厚みを調整することで、適視範囲１２７ａや適視範囲１２７ｂを調整しやすくすることができる。
【００６６】
なお、表示装置１では、遮光部２１同士間の開口部１０３内に光透過層１０１を設けた構成を例に説明したが、表示装置１の構成はこれに限定されず、光透過層１０１を省略した構成も採用され得る。しかしながら、光透過層１０１を設けることは、複数の遮光部２１と樹脂層５９との境界面を平坦にすることができる点で好ましい。複数の遮光部２１と樹脂層５９との境界面が平坦であれば、シート状の樹脂を貼り付けて樹脂層５９を形成する場合に、樹脂層５９を平坦にしやすくすることができる。また、液状の樹脂をスピンコート法などで膜状に配置してから固化させることによって樹脂層５９を形成する場合には、液状の樹脂が開口部１０３内に流れ込むため、樹脂層５９の形成とともに開口部１０３内に光透過層１０１も形成することができる。
【００６７】
また、表示装置１では、カラーフィルタ６５が第１基板５１と第２基板７５との間に設けられているが、カラーフィルタ６５の位置はこれに限定されない。
ここで、表示装置１において、各光透過層１０１（開口部１０３）のＸ方向における中点から、複数の第１の画素７1のそれぞれにおける中点を経て第１の範囲１２１に至る光１１７ａは、図１１に示すように、適視範囲１２７ａ内の視点Ｌａで交差する。同様に、各光透過層１０１（開口部１０３）のＸ方向における中点から、複数の第２の画素７2のそれぞれにおける中点を経て第２の範囲１２３に至る光１１７ｂは、適視範囲１２７ｂ内の視点Ｌｂで交差する。
【００６８】
これらの光１１７ａ及び１１７ｂ間で同じ色に着目すると、画素７ｒ1から視点Ｌａに至る光１１７ａと、画素７ｒ2から視点Ｌｂに至る光１１７ｂとは、交点Ｋｒで交差する。同様に、画素７ｇ1から視点Ｌａに至る光１１７ａと、画素７ｇ2から視点Ｌｂに至る光１１７ｂとが交点Ｋｇで交差し、画素７ｂ1から視点Ｌａに至る光１１７ａと、画素７ｂ2から視点Ｌｂに至る光１１７ｂとが交点Ｋｂで交差する。各交点Ｋｒ、Ｋｇ及びＫｂに、それぞれの光の色に対応するカラーフィルタ６５を配置すれば、第１の画素７1と第２の画素７2とにカラーフィルタ６５を共用させることができる。
【００６９】
ここで、第１の画素７1と第２の画素７2とにカラーフィルタ６５を共用させる例を、第２実施形態として説明する。
第２実施形態における表示装置１０は、表示装置１０を図１中のＡ−Ａ線の位置に相当する位置で切断したときの断面図である図１２に示すように、液晶パネル１１と偏光板１３ｂとの間にカラーフィルタ基板１３１が設けられている。なお、表示装置１０は、表示装置１の光吸収層６１、カラーフィルタ６５及びオーバーコート層６７がカラーフィルタ基板１３１に設けられていることを除いては、表示装置１と同様の構成を有している。従って、以下において、表示装置１０の各構成のうちで表示装置１と同様の構成については、同一の符号を付して詳細な説明を省略する。
【００７０】
カラーフィルタ基板１３１は、図４中のＣ−Ｃ線における断面図である図１３に示すように、第３基板１３３を有している。第３基板１３３は、例えばガラスなどの光透過性を有する材料で構成されており、表示面９側に向けられた外向面１３４ａと、底面２３側に向けられた対向面１３４ｂとを有している。
第３基板１３３の対向面１３４ｂには、光吸収層６１が、平面視で格子状に設けられている。また、対向面１３４ｂには、光吸収層６１によって囲まれた各領域を底面２３側から覆うカラーフィルタ６５が設けられている。
【００７１】
上記の構成を有するカラーフィルタ基板１３１は、対向面１３４ｂが第２基板７５の外向面７６ａに向けられた状態で、オーバーコート層６７が外向面７６ａに、光透過性を有する接着剤１３５を介して貼り付けられている。
なお、遮光素子基板１５の樹脂層５９の表示面９側には、対向電極７１が設けられている。
また、表示装置１０では、各カラーフィルタ６５が各交点Ｋｒ、Ｋｇ及びＫｂ（図１１参照）に位置するように、樹脂層５９や第２基板７５の厚みが設定されている。
【００７２】
表示装置１０では、光吸収層６１によって囲まれた各領域は、画素７の領域とは定義されない。表示装置１０において画素７の領域は、平面視で対向電極７１と各画素電極８５とが重なる各領域であると定義される。それは、光吸収層６１によって囲まれた各領域は、図１３中のＦ−Ｆ線における断面図である図１４に示すように、Ｘ方向に隣り合う２つの画素電極８５間にまたがっているためである。
【００７３】
表示装置１０では、表示装置１と同様の効果を奏するのみならず、第１の画素７1と第２の画素７2とにカラーフィルタ６５を共用させることができるので、カラーフィルタ６５の個数を軽減することができるとともに、１つのカラーフィルタ６５の大きさを拡大することができる。
【００７４】
また、表示装置１、１０のそれぞれに対して、複数の画素７の表示面９側に、図１５に示す第２の遮光膜１４１を付加すれば、第１の画像と第２の画像とが重畳する範囲１２５（図１０参照）が解消され得る。この場合、第２の遮光膜１４１には、Ｘ方向に隣り合う画素群４３同士間で隣り合う第２の画素７2と第１の画素７1とに平面視で重なる部位に、開口部１４３が設けられる。そして、Ｘ方向に隣り合う開口部１４３同士の間が遮光部１４５となっている。
ここで、複数の画素７の表示面９側に第２の遮光膜１４１を付加した例を、第３実施形態として説明する。
【００７５】
第３実施形態における表示装置１００は、図１６に示すように、液晶パネル１１０を有している。そして、上記の第２の遮光膜１４１は、図４中のＪ−Ｊ線における断面図である図１７に示すように、駆動素子基板１７に設けられている。なお、表示装置１００は、駆動素子基板１７に第２の遮光膜１４１と後述する樹脂層１４７が設けられていることを除いては、表示装置１と同様の構成を有している。従って、以下において、表示装置１００の各構成のうちで表示装置１と同様の構成については、同一の符号を付して詳細な説明を省略する。
【００７６】
第２の遮光膜１４１は、例えば、カーボンブラックなどを含有する樹脂や、クロムなどの光吸収性が高い材料で構成されており、第２基板７５の素子面７６ｂに設けられている。第２の遮光膜１４１の底面２３側には、樹脂層１４７が設けられている。樹脂層１４７は、光透過性を有する樹脂で構成されており、シート状の樹脂を貼り付けたり、液状の樹脂をスピンコート法などで膜状に配置してから固化させたりすることで形成され得る。そして、樹脂層１４７の底面２３側に、ＴＦＴ素子８３が設けられている。
【００７７】
第２の遮光膜１４１は、図１７中のＮ−Ｎ線における断面図である図１８に示すように、遮光部２１に対向する部位に開口部１４３が設けられている。Ｘ方向に隣り合う開口部１４３同士間に位置する遮光部１４５は、遮光素子基板１５の光透過層１０１（開口部１０３）に対向している。つまり、複数の遮光部２１及び複数の遮光部１４５は、平面視で、Ｘ方向に遮光部２１と遮光部１４５とが交互に並んでいる。なお、各開口部１４３は、Ｙ方向に並ぶ複数組の画素群４３間にわたってＹ方向に沿って延びている。そして、１つの開口部１４３は、Ｙ方向に沿って１列に並ぶ複数組の画素群４３の列間に対応している。
【００７８】
各光透過層１０１（開口部１０３）から各視点Ｌａ及びＬｂに至る光１１７ａ及び１１７ｂのうちで、Ｘ方向に隣り合う第１の画素７1及び第２の画素７2のそれぞれを通る光１１７ａ及び１１７ｂは、図１１に示すように、交点Ｑで交差する。なお、各交点Ｑで交差する光１１７ａ及び１１７ｂは、Ｘ方向に隣り合う２つの画素群４３間にまたがって隣り合う第１の画素７1及び第２の画素７2のそれぞれから射出される。
【００７９】
表示装置１００では、Ｘ方向に隣り合う開口部１４３同士間の間隔が、交点Ｑ同士間の間隔と同等に設定されている。これにより、適視範囲１２７ａ内にある任意の視点から視認される光の量を、複数の第１の画素７1間で同等にすることができる。同様に、適視範囲１２７ｂ内にある任意の視点から視認される光の量を、複数の第２の画素７2間で同等にすることができる。また、複数の画素７と第２の遮光膜１４１との間の距離は、各開口部１４３が各交点Ｑに位置するように、樹脂層１４７の厚みによって設定されている。
【００８０】
そして、第１の画素７1及び第２の画素７2のそれぞれから射出された光１１７ａ及び１１７ｂは、図１９に示すように、光１１７ａが第３の範囲１５１に及び、光１１７ｂが第４の範囲１５３に及ぶ。開口部１４３の大きさを適切に設定することにより、第３の範囲１５１からは各開口部１４３を介して複数の第１の画素７1からの光１１７ａだけが視認され、第４の範囲１５３からは各開口部１４３を介して複数の第２の画素７2からの光１１７ｂだけが視認され得る。
【００８１】
表示装置１００では、Ｘ方向における開口部１４３の幅が、開口部１０３の幅よりも狭く設定されている。このため、第３の範囲１５１は、第１の範囲１２１内で第１の範囲１２１よりも狭い。また、第４の範囲１５３は、第２の範囲１２３内で第２の範囲１２３よりも狭い。これにより、第３の範囲１５１と第４の範囲１５３との間には、重畳する範囲がない。従って、表示装置１００では、第１の画像と第２の画像とが重畳する範囲１２５が解消され得る。
【００８２】
また、表示装置１００では、第１基板５１と第２基板７５との間に第２の遮光膜１４１が設けられている。ところで、第２の遮光膜１４１を第１基板５１及び第２基板７５間の外側に設ける場合、第２の遮光膜１４１をガラスなどで構成される新たな基板に形成する必要性が高くなる。この場合、表示パネル３の厚みを低減することが困難になる。表示装置１００では、第２の遮光膜１４１が第１基板５１と第２基板７５との間に設けられているので、表示パネル３の厚みが増大してしまうことを低く抑えることができる。従って、表示装置１００の薄型化が図られる。
【００８３】
なお、表示装置１００では、第２の遮光膜１４１の底面２３側に樹脂層１４７を設ける構成としたが、表示装置１００の構成はこれに限定されず、樹脂層１４７に替えてガラス基板を設ける構成も採用され得る。
【００８４】
なお、表示装置１、１０及び１００では、遮光部２１同士間の開口部１０３が、図８に示すように、Ｙ方向に沿って配列する複数組の画素群４３間にわたって一連して延びる場合を例に説明したが、各開口部１０３はこれに限定されない。各開口部１０３は、図２０に示すように、画素群４３ごとに独立した構成も採用され得る。
【００８５】
また、表示装置１、１０及び１００では、ＴＮ型の液晶１９を例に説明したが、液晶１９はこれに限定されず、ＦＦＳ（Fringe Field Switching）型、ＩＰＳ（In Plane Switching）型、ＶＡ（Vertical Alignment）型等の種々の型が採用され得る。
【００８６】
また、表示装置１、１０及び１００では、複数組の画素群４３が、図５に示すように、Ｘ方向及びＹ方向のそれぞれの方向に沿ってマトリクス状に配列した場合を例に説明したが、複数組の画素群４３の配列はこれに限定されない。複数組の画素群４３の配列は、例えば、図２１に示すように、Ｙ方向にシグザグに並んだ配列も採用され得る。図２１に示す配列の場合、図４に示す第１の画素７1と第２の画素７2とは、Ｘ方向に交互に並んでいるとともに、Ｙ方向にも交互に並んでいる。この場合、各開口部１０３は、図２２に示すように、画素群４３ごとに設けられる。
【００８７】
また、表示装置１００では、各開口部１４３がＹ方向に沿って複数組の画素群４３間にわたって延びている場合を例に説明したが、各開口部１４３はこれに限定されない。各開口部１４３は、Ｘ方向に隣り合う２つの画素群４３間ごとに独立した構成も採用され得る。さらに、各開口部１４３がＸ方向に隣り合う２つの画素群４３間ごとに独立した構成は、複数組の画素群４３がＹ方向にシグザグに並ぶ配列にも適用され得る。
【００８８】
上述した表示装置１、１０及び１００は、それぞれ、例えば、図２３に示す電子機器２００の表示部２１０に適用され得る。この電子機器２００は、カーナビゲーションシステム用の表示機器である。電子機器２００では、表示装置１、１０又は１００が適用された表示部２１０によって、例えば、運転席側から第１の画像として地図などの画像が視認され、助手席側から第２の画像として映画などの画像が視認され得る。
【００８９】
さらに、電子機器２００では、第１の画像と第２の画像とが重畳する範囲１２５の軽減が図られ、広い適視範囲１２７ａから第１の画像が視認され、広い適視範囲１２７ｂから第２の画像が視認され得る。
なお、電子機器２００としては、カーナビゲーションシステム用の表示機器に限られず、携帯電話機、モバイルコンピュータ、デジタルスチルカメラ、デジタルビデオカメラ、車載機器、オーディオ機器等の種々の電子機器が挙げられる。
【図面の簡単な説明】
【００９０】
【図１】本発明の第１実施形態における表示装置の主要構成を示す分解斜視図。
【図２】図１中のＡ−Ａ線における断面図。
【図３】第１実施形態における複数の画素の一部を示す平面図。
【図４】第１実施形態における複数の画素の一部を示す平面図。
【図５】第１実施形態における複数組の画素群の配列を説明する平面図。
【図６】図４中のＣ−Ｃ線における断面図。
【図７】図６中のＤ−Ｄ線における断面図。
【図８】第１実施形態における遮光部と画素群とを示す平面図。
【図９】第１実施形態における表示装置の偏光状態を説明する図。
【図１０】第１実施形態における複数組の画素群並びに複数の遮光部及び光透過層を模式的に示す断面図。
【図１１】第１実施形態における複数組の画素群並びに複数の遮光部及び光透過層を模式的に示す断面図。
【図１２】第２実施形態における表示装置を図１中のＡ−Ａ線の位置に相当する位置で切断したときの断面図。
【図１３】図４中のＣ−Ｃ線における断面図。
【図１４】図１３中のＦ−Ｆ線における断面図。
【図１５】第３実施形態の表示装置に適用される液晶パネルを模式的に示す断面図。
【図１６】第３実施形態における表示装置を図１中のＡ−Ａ線の位置に相当する位置で切断したときの断面図。
【図１７】図４中のＪ−Ｊ線における断面図。
【図１８】図１７中のＮ−Ｎ線における断面図。
【図１９】第３実施形態における液晶パネルを模式的に示す断面図。
【図２０】第１〜第３実施形態のそれぞれにおける遮光部の他の例を示す平面図。
【図２１】第１〜第３実施形態のそれぞれにおける複数組の画素群の配列の他の例をを示す平面図。
【図２２】第１〜第３実施形態のそれぞれにおける遮光部の他の例を示す平面図。
【図２３】第１〜第３実施形態における表示装置を適用した電子機器の斜視図。
【図２４】従来技術の課題を説明する断面図。
【符号の説明】
【００９１】
１，１０，１００…表示装置、３…表示パネル、７…画素、７1…第１の画素、７2…第２の画素、８…表示領域、９…表示面、１１，１１０…液晶パネル、１５…遮光素子基板、１７…駆動素子基板、１９…液晶、２３…底面、２１…遮光部、５１…第１基板、５５…反射膜、５７…遮光膜、５９…樹脂層、７５…第２基板、１０１…光透過層、１０３…開口部、１２１…第１の範囲、１２３…第２の範囲、１２５…範囲、１２７ａ，１２７ｂ…適視範囲、１４１…第２の遮光膜、１４３…開口部、１４５…遮光部、１４７…樹脂層、１５１…第３の範囲、１５３…第４の範囲、２００…電子機器、２１０…表示部、Ｍ…マトリクス。
【図１】
2009069567.tif 000003
【図２】
2009069567.tif 000004
【図３】
2009069567.tif 000005
【図４】
2009069567.tif 000006
【図５】
2009069567.tif 000007
【図６】
2009069567.tif 000008
【図７】
2009069567.tif 000009
【図８】
2009069567.tif 000010
【図９】
2009069567.tif 000011
【図１０】
2009069567.tif 000012
【図１１】
2009069567.tif 000013
【図１２】
2009069567.tif 000014
【図１３】
2009069567.tif 000015
【図１４】
2009069567.tif 000016
【図１５】
2009069567.tif 000017
【図１６】
2009069567.tif 000018
【図１７】
2009069567.tif 000019
【図１８】
2009069567.tif 000020
【図１９】
2009069567.tif 000021
【図２０】
2009069567.tif 000022
【図２１】
2009069567.tif 000023
【図２２】
2009069567.tif 000024
【図２３】
2009069567.tif 000025
【図２４】
2009069567.tif 000026